(57)【要約】  本発明は、ネットワークノードの選択、活性化方法及び装置を開示し、上記方法において、一つ又は複数の移動ネットワークノードのネットワークノード選択情報を取得し、ここで、ネットワークノード選択情報は活性化対象の移動ネットワークノードを選択するに用いられ；ネットワークノード選択情報に基づいて一つ又は複数の移動ネットワークノードから活性化対象の移動ネットワークノードを選択し、活性化対象の移動ネットワークノードへノード活性化命令メッセージを送信する。本発明で提供する技術案によると、移動ネットワークノードリソースを充分に利用することができ、移動ネットワークノードの安定性を強化し、ネットワークリソースの利用率を向上させ、ネットワークのカバー率や容量及びネットワーク全体の処理量を高めることができる。
2017538348.tif 000002
【特許請求の範囲】
【請求項１】
一つ又は複数の移動ネットワークノードのネットワークノード選択情報を取得することであって、但し、前記ネットワークノード選択情報は活性化対象の移動ネットワークノードを選択するに用いられることと、
前記ネットワークノード選択情報に基づいて、前記一つ又は複数の移動ネットワークノードから前記活性化対象の移動ネットワークノードを選択し、前記活性化対象の移動ネットワークノードへノード活性化命令メッセージを送信することと、を含むネットワークノードの選択方法。
【請求項２】
前記一つ又は複数の移動ネットワークノードの前記ネットワークノード選択情報を取得することは、
前記一つ又は複数の移動ネットワークノードが起動する時、前記一つ又は複数の移動ネットワークノードが報知した前記ネットワークノード選択情報を受信することと、
前記一つ又は複数の移動ネットワークノードへネットワーク情報諮問要求を送信し、前記一つ又は複数の移動ネットワークノードがネットワーク情報諮問要求に基づいて報知した前記ネットワークノード選択情報を受信することとの中の一つを含む請求項１に記載の方法。
【請求項３】
前記ネットワークノード選択情報が、
各移動ネットワークノードが現在滞留している位置情報を指す前記一つ又は複数の移動ネットワークノードの位置情報と、
各移動ネットワークノードがネットワーク情報諮問要求を受信してから現在位置を離れるまでに経過した時間の長さ、又は、各移動ネットワークノードが主動的に前記ネットワークノード選択情報を送信してから現在位置を離れるまでに経過した時間の長さを指す前記一つ又は複数の移動ネットワークノードの滞留可能な時間と、
各移動ネットワークノードが現在位置において特定の送信電力又は最大送信電力で提供可能な最大カバー距離である前記一つ又は複数の移動ネットワークノードのカバー範囲と、
各移動ネットワークノードが提供可能なアクセスネットワークタイプである前記一つ又は複数の移動ネットワークノードの無線アクセス情報と、
前記一つ又は複数の移動ネットワークノードの移動ネットワークノード識別情報との中の少なくとも一つを含む請求項１又は２に記載の方法。
【請求項４】
前記ノード活性化命令メッセージに前記活性化対象の移動ネットワークノードの運行パラメータ情報が乗せられ、
前記運行パラメータ情報が、
前記活性化対象の移動ネットワークノードの送信電力と、
前記活性化対象の移動ネットワークノードが前記ノード活性化命令メッセージ受信後に期待される正常に運行する時間の長さである前記活性化対象の移動ネットワークノードの運行時間と、
前記活性化対象の移動ネットワークノードが前記ノード活性化命令メッセージ受信後に期待される正常に運行する位置領域である前記活性化対象の移動ネットワークノードの移動領域と、を含む請求項１又は２に記載の方法。
【請求項５】
前記一つ又は複数の移動ネットワークノードが位置可変なネットワークサイトである請求項１乃至４の中のいずれかに記載の方法。
【請求項６】
基礎ネットワークサイトへ、前記基礎ネットワークサイトが活性化対象の移動ネットワークノードを選択するためのネットワークノード選択情報を送信することと、
前記基礎ネットワークサイトからのノード活性化命令メッセージを受信し、前記ノード活性化命令メッセージに基づいて活性化運行操作を実行することと、を含むネットワークノードの活性化方法。
【請求項７】
前記基礎ネットワークサイトへ前記ネットワークノード選択情報を送信することが、
起動する時刻に前記基礎ネットワークサイトへ前記ネットワークノード選択情報を報知することと、
前記基礎ネットワークサイトから送信されたネットワーク情報諮問要求に応答し、前記基礎ネットワークサイトへ前記ネットワークノード選択情報を報知することの中の一つを含む請求項６に記載の方法。
【請求項８】
前記ノード活性化命令メッセージに基づいて活性化運行操作を実行することが、
前記ノード活性化命令メッセージから運行パラメータ情報を取得することであって、ここで、前記運行パラメータ情報は、前記活性化対象の移動ネットワークノードの送信電力と、前記活性化対象の移動ネットワークノードの運行時間と、前記活性化対象の移動ネットワークノードの移動領域の中の一つ又は複数を含むことと、
前記運行パラメータ情報に基づいて、前記運行時間範囲内で前記送信電力で活性化運行を開始することと、を含む請求項６に記載の方法。
【請求項９】
前記ノード活性化命令メッセージから前記運行パラメータ情報を取得した後は、
現在位置が前記移動領域内ではないと確定することであって、但し、前記移動領域が、前記活性化対象の移動ネットワークノードが前記ノード活性化命令メッセージ受信後に期待される正常に運行する位置領域であることと、
前記基礎ネットワークサイトへ通知メッセージを送信して、前記現在位置が前記移動領域内ではないことを通知することと、を更に含む請求項８に記載の方法。
【請求項１０】
前記基礎ネットワークサイトが、基礎ネットワークカバーを提供するとともに、ネットワークサイトの位置を不変に保持する通信サイトである請求項６乃至９の中のいずれかに記載の方法。
【請求項１１】
一つ又は複数の移動ネットワークノードのネットワークノード選択情報を取得するように構成される取得手段であって、但し、前記ネットワークノード選択情報は、活性化対象の移動ネットワークノードを選択するに用いられる取得手段と、
前記ネットワークノード選択情報に基づいて前記一つ又は複数の移動ネットワークノードから前記活性化対象の移動ネットワークノードを選択し、前記活性化対象の移動ネットワークノードへノード活性化命令メッセージを送信するように構成される選択手段と、を含むネットワークノードの選択装置。
【請求項１２】
前記取得手段が、
前記一つ又は複数の移動ネットワークノードが起動する時、前記一つ又は複数の移動ネットワークノードが報知した前記ネットワークノード選択情報を受信することと、
前記一つ又は複数の移動ネットワークノードへネットワーク情報諮問要求を送信し、前記一つ又は複数の移動ネットワークノードがネットワーク情報諮問要求に基づいて報知した前記ネットワークノード選択情報を受信することの中の一つによって、前記一つ又は複数の移動ネットワークノードの前記ネットワークノード選択情報を取得するように構成される請求項１１に記載の装置。
【請求項１３】
前記ネットワークノード選択情報が、
各移動ネットワークノードが現在滞留している位置情報を指す前記一つ又は複数の移動ネットワークノードの位置情報と、
各移動ネットワークノードがネットワーク情報諮問要求を受信してから現在位置を離れるまでに経過した時間の長さ、又は、各移動ネットワークノードが主動的にネットワークノード選択情報を送信してから現在位置を離れるまでに経過した時間の長さである前記一つ又は複数の移動ネットワークノードの滞留可能な時間と、
各移動ネットワークノードが現在位置において特定の送信電力又は最大送信電力で提供可能な最大カバー距離である前記一つ又は複数の移動ネットワークノードのカバー範囲と、
各移動ネットワークノードが提供可能なアクセスネットワークタイプである前記一つ又は複数の移動ネットワークノードの無線アクセス情報と、
前記一つ又は複数の移動ネットワークノードの移動ネットワークノード識別情報の中の少なくとも一つを含む請求項１１又は１２に記載の装置。
【請求項１４】
前記ノード活性化命令メッセージに前記活性化対象の移動ネットワークノードの運行パラメータ情報が乗せられ、
前記運行パラメータ情報は、
前記活性化対象の移動ネットワークノードの送信電力と、
前記活性化対象の移動ネットワークノードが前記ノード活性化命令メッセージ受信後に期待される正常に運行する時間の長さである前記活性化対象の移動ネットワークノードの運行時間と、
前記活性化対象の移動ネットワークノードが前記ノード活性化命令メッセージ受信後に期待される正常に運行する位置領域である前記活性化対象の移動ネットワークノードの移動領域と、を含む請求項１１又は１２に記載の装置。
【請求項１５】
前記一つ又は複数の移動ネットワークノードが位置可変なネットワークサイトである請求項１１乃至１４の中のいずれかに記載の方法。
【請求項１６】
基礎ネットワークサイトへネットワークノード選択情報を送信するように構成される送信手段であって、但し、前記ネットワークノード選択情報は、前記基礎ネットワークサイトが活性化対象の移動ネットワークノードを選択するに用いられる送信手段と、
前記基礎ネットワークサイトからのノード活性化命令メッセージを受信し、前記ノード活性化命令メッセージに基づいて活性化運行操作を実行するように構成される活性化手段と、を含むネットワークノードの活性化装置。
【請求項１７】
前記送信手段が、
起動する時刻に前記基礎ネットワークサイトへ前記ネットワークノード選択情報を報知することと、
前記基礎ネットワークサイトから送信されたネットワーク情報諮問要求に応答し、前記基礎ネットワークサイトへ前記ネットワークノード選択情報を報知することの中の一つによって、前記基礎ネットワークサイトへネットワークノード選択情報を送信するように構成される請求項１６に記載の装置。
【請求項１８】
前記活性化手段が、
前記ノード活性化命令メッセージから、前記活性化対象の移動ネットワークノードの送信電力、前記活性化対象の移動ネットワークノードの運行時間、前記活性化対象の移動ネットワークノードの移動領域の中の一つ又は複数を含む運行パラメータ情報を取得するように構成される取得ユニットと、
前記運行パラメータ情報に基づいて、前記運行時間範囲内で前記送信電力で活性化運行を開始するように構成される活性化ユニットと、を含む請求項１６に記載の装置。
【請求項１９】
前記活性化手段が、
現在位置が移動領域内ではないと確定するように構成される確定ユニットであって、但し、前記移動領域は、前記活性化対象の移動ネットワークノードが前記ノード活性化命令メッセージ受信後に期待される正常に運行する位置領域である確定ユニットと、
前記基礎ネットワークサイトへ通知メッセージを送信し、前記現在位置が前記移動領域内ではないことを通知するように構成される通知ユニットと、を更に含む請求項１８に記載の装置。
【請求項２０】
前記基礎ネットワークサイトが、基礎ネットワークカバーを提供するとともに、ネットワークサイトの位置を不変に保持する通信サイトである請求項１６乃至１９の中のいずれかに記載の装置。
【発明の詳細な説明】
【技術分野】
【０００１】
本発明は、通信分野に関し、特に、ネットワークノードの選択、活性化方法及び装置に関する。
【背景技術】
【０００２】
セルラネットワークの移動通信の高速発展に伴って、モバイルユーザ数量が急増し、またモバイルサービス量も今後は現在の１０００倍に達することになる。モバイルサービス量の大幅の増加は、ユーザ数量の急増以外に、高いデータレートのサービス量の需要によるもので、例えばマルチメディア、ビデオストリーム等のデータサービスはいずれも今後のネットワークに高性能要求を求めることになる。ユーザ体験を向上させるにもネットワークのカバーや容量に対する要求を増加させることになる。図１は既存技術に係わる移動ネットワークを示す図である。図１に示すように、無線環境の複雑度や多様性によって、基礎カバーネットワークによると、端末のカバーや容量に対する要求を満たすことができず、ここで、基礎カバーネットワークとは、基本的なカバーを提供するネットワークを指し、例えば図１におけるマクロ基地局を指す。超高密度ネットワーク（Ｕｌｔｒａ  Ｄｅｎｓｉｔｙ  Ｎｅｔｗｏｒｋ、ＵＤＮと略称）は、今後移動通信においてカバーや容量問題を解決する有効な解決案であって、例えば城市密集領域又はオフィス内にサイトを配置することでネットワークのカバーや容量を補強することができるが、ＵＤＮは同時にネットワークの構築コストと維持コストを増やしてしまう。デバイス同士（Ｄｅｖｉｃｅ  ｔｏ  Ｄｅｖｉｃｅ、Ｄ２Ｄと略称）の通信も今後の通信においてネットワークのカバーや容量の圧力を緩和する有効な解決案で、一部の基礎カバーネットワーク中の端末による転送で一層大きい範囲のネットワークカバーを実現し、基礎ネットワークの負荷を低減することもできる。しかしＤ２Ｄが、カバー範囲が限られているので、カバーや容量を降ろすに非常に限られている。
【０００３】
既存技術において、カバーや容量を向上させることのできる他の解決案は、移動ネットワーク（Ｍｏｖｉｎｇ  Ｎｅｔｗｏｒｋ、ＭＮと略称）を用いることで、ＭＮは既存の基本的なカバーネットワークに対するカバーや容量の補強及び拡張で、基礎カバーネットワークは、ネットワークにおけるカバー、容量、サービス需要に応じて、ＭＮにおける移動ネットワークノードを活性化してカバーを提供することができ、移動ネットワークノードは基礎カバーネットワークにおけるカバーが弱い領域や過負荷領域を有効に緩和する。しかし、移動ネットワークノードが移動不規則性と滞留時間の非確定性等の欠陥を有しているので、ネットワークの不安定やネットワークリソースの利用率の低下を生じ、ネットワーク全体の性能の向上に不利である。
【０００４】
上記のように、既存技術に如何に適切な移動ネットワークノードを選択するかについての解決案がない。
【発明の概要】
【発明が解決しようとする課題】
【０００５】
本発明の実施例は、少なくとも既存技術において適切な移動ネットワークノードを選択することもできない問題を解決できるネットワークノードの選択、活性化方法及び装置を提供する。
【課題を解決するための手段】
【０００６】
本発明の実施例の一態様によると、ネットワークノードの選択方法を提供する。
【０００７】
本発明の実施例に係わるネットワークノードの選択方法は、一つ又は複数の移動ネットワークノードのネットワークノード選択情報を取得することであって、但し、前記ネットワークノード選択情報は、活性化対象の移動ネットワークノードを選択するに用いられることと、ネットワークノード選択情報に基づいて一つ又は複数の移動ネットワークノードから活性化対象の移動ネットワークノードを選択し、活性化対象の移動ネットワークノードへノード活性化命令メッセージを送信することと、を含む。
【０００８】
一つ又は複数の移動ネットワークノードのネットワークノード選択情報を取得することは、一つ又は複数の移動ネットワークノードが起動する時、一つ又は複数の移動ネットワークノードが報知したネットワークノード選択情報を受信することと、一つ又は複数の移動ネットワークノードへネットワーク情報諮問要求を送信し、一つ又は複数の移動ネットワークノードがネットワーク情報諮問要求に基づいて報知したネットワークノード選択情報を受信することとの中の一つを含むことが好ましい。
【０００９】
ネットワークノード選択情報は、各移動ネットワークノードが現在滞留している位置情報を指す一つ又は複数の移動ネットワークノードの位置情報と、各移動ネットワークノードがネットワーク情報諮問要求を受信してから現在位置を離れるまでに経過した時間の長さ、又は、各移動ネットワークノードが主動的にネットワークノード選択情報を送信してから現在位置を離れるまでに経過した時間の長さを指す一つ又は複数の移動ネットワークノードの滞留可能な時間と、各移動ネットワークノードが現在位置において特定の送信電力又は最大送信電力で提供可能な最大カバー距離である一つ又は複数の移動ネットワークノードのカバー範囲と、各移動ネットワークノードが提供可能なアクセスネットワークタイプである一つ又は複数の移動ネットワークノードの無線アクセス情報と、一つ又は複数の移動ネットワークノードの移動ネットワークノード識別情報との中の少なくとも一つを含むことが好ましい。
【００１０】
ノード活性化命令メッセージに活性化対象の移動ネットワークノードの運行パラメータ情報が乗せられ、運行パラメータ情報は、活性化対象の移動ネットワークノードの送信電力と、期待される、活性化対象の移動ネットワークノードがノード活性化命令メッセージ受信後に正常に運行する時間の長さである活性化対象の移動ネットワークノードの運行時間と、期待される、活性化対象の移動ネットワークノードがノード活性化命令メッセージ受信後に正常に運行する位置領域である活性化対象の移動ネットワークノードの移動領域と、を含むことが好ましい。
【００１１】
一つ又は複数の移動ネットワークノードが位置可変なネットワークサイトであることが好ましい。
【００１２】
本発明の実施例の他の一態様によると、ネットワークノードの活性化方法を提供する。
【００１３】
本発明の実施例に係わるネットワークノードの活性化方法は、基礎ネットワークサイトへ、基礎ネットワークサイトが活性化対象の移動ネットワークノードを選択するためのネットワークノード選択情報を送信することと、基礎ネットワークサイトからのノード活性化命令メッセージを受信し、ノード活性化命令メッセージに基づいて活性化運行操作を実行することと、を含む。
【００１４】
基礎ネットワークサイトへネットワークノード選択情報を送信することは、起動する時刻に基礎ネットワークサイトへネットワークノード選択情報を報知することと、基礎ネットワークサイトから送信されたネットワーク情報諮問要求に応答し、基礎ネットワークサイトへネットワークノード選択情報を報知することの中の一つを含むことが好ましい。
【００１５】
ノード活性化命令メッセージに基づいて活性化運行操作を実行することは、ノード活性化命令メッセージから運行パラメータ情報を取得することであって、ここで、運行パラメータ情報は、活性化対象の移動ネットワークノードの送信電力と、活性化対象の移動ネットワークノードの運行時間と、活性化対象の移動ネットワークノードの移動領域の中の一つ又は複数を含むことと、運行パラメータ情報に基づいて、運行時間範囲内で送信電力で活性化運行を開始することと、を含むことが好ましい。
【００１６】
ノード活性化命令メッセージから運行パラメータ情報を取得した後は、現在位置が移動領域内ではないと確定することであって、但し、前記移動領域は、活性化対象の移動ネットワークノードがノード活性化命令メッセージ受信後に期待される正常に運行する位置領域であることと、基礎ネットワークサイトへ通知メッセージを送信し、現在位置が移動領域内ではないことを通知することと、を更に含むことが好ましい。
【００１７】
基礎ネットワークサイトが、基礎ネットワークカバーを提供するとともに、ネットワークサイトの位置を不変に保持する通信サイトであることが好ましい。
【００１８】
本発明の実施例の他の一態様によると、ネットワークノードの選択装置を提供する。
【００１９】
本発明の実施例に係わるネットワークノードの選択装置は、一つ又は複数の移動ネットワークノードのネットワークノード選択情報を取得するように構成される取得手段であって、但し、前記ネットワークノード選択情報は、活性化対象の移動ネットワークノードを選択するに用いられることと、ネットワークノード選択情報に基づいて一つ又は複数の移動ネットワークノードから活性化対象の移動ネットワークノードを選択し、活性化対象の移動ネットワークノードへノード活性化命令メッセージを送信するように構成される選択手段と、を含む。
【００２０】
取得手段が、一つ又は複数の移動ネットワークノードが起動する時、一つ又は複数の移動ネットワークノードが報知したネットワークノード選択情報を受信することと、一つ又は複数の移動ネットワークノードへネットワーク情報諮問要求を送信し、一つ又は複数の移動ネットワークノードがネットワーク情報諮問要求に基づいて報知したネットワークノード選択情報を受信することの中の一つによって、一つ又は複数の移動ネットワークノードのネットワークノード選択情報を取得するように構成されることが好ましい。
【００２１】
ネットワークノード選択情報は、各移動ネットワークノードが現在滞留している位置情報を指す一つ又は複数の移動ネットワークノードの位置情報と、各移動ネットワークノードがネットワーク情報諮問要求を受信してから現在位置を離れるまでに経過した時間の長さ、又は、各移動ネットワークノードが主動的にネットワークノード選択情報を送信してから現在位置を離れるまでに経過した時間の長さである一つ又は複数の移動ネットワークノードの滞留可能な時間と、各移動ネットワークノードが現在位置において特定の送信電力又は最大送信電力で提供可能な最大カバー距離である一つ又は複数の移動ネットワークノードのカバー範囲と、各移動ネットワークノードが提供可能なアクセスネットワークタイプである一つ又は複数の移動ネットワークノードの無線アクセス情報と、一つ又は複数の移動ネットワークノードの移動ネットワークノード識別情報の中の少なくとも一つを含むことが好ましい。
【００２２】
ノード活性化命令メッセージに活性化対象の移動ネットワークノードの運行パラメータ情報が乗せられ、運行パラメータ情報は、活性化対象の移動ネットワークノードの送信電力と、活性化対象の移動ネットワークノードがノード活性化命令メッセージ受信後に期待される正常に運行する時間の長さである活性化対象の移動ネットワークノードの運行時間と、活性化対象の移動ネットワークノードがノード活性化命令メッセージ受信後に期待される正常に運行する位置領域である活性化対象の移動ネットワークノードの移動領域と、を含むことが好ましい。
【００２３】
一つ又は複数の移動ネットワークノードが位置可変なネットワークサイトであることが好ましい。
【００２４】
本発明の実施例の他の一態様によると、ネットワークノードの活性化装置を提供する。
【００２５】
本発明の実施例に係わるネットワークノードの活性化装置は、基礎ネットワークサイトへ基礎ネットワークサイトが活性化対象の移動ネットワークノードを選択するためのネットワークノード選択情報を送信するように構成される送信手段と、基礎ネットワークサイトからのノード活性化命令メッセージを受信し、ノード活性化命令メッセージに基づいて活性化運行操作を実行するように構成される活性化手段と、を含む。
【００２６】
送信手段が、起動する時刻に基礎ネットワークサイトへネットワークノード選択情報を報知することと、基礎ネットワークサイトから送信されたネットワーク情報諮問要求に応答し、基礎ネットワークサイトへネットワークノード選択情報を報知することの中の一つによって、基礎ネットワークサイトへネットワークノード選択情報を送信するように構成されることが好ましい。
【００２７】
活性化手段が、ノード活性化命令メッセージから、活性化対象の移動ネットワークノードの送信電力、活性化対象の移動ネットワークノードの運行時間、活性化対象の移動ネットワークノードの移動領域の中の一つ又は複数を含む運行パラメータ情報を取得するように構成される取得ユニットと、運行パラメータ情報に基づいて、運行時間範囲内で送信電力で活性化運行を開始するように構成される活性化ユニットと、を含むことが好ましい。
【００２８】
活性化手段が、現在位置が移動領域内ではないと確定するように構成される確定ユニットであって、但し、前記移動領域は、活性化対象の移動ネットワークノードがノード活性化命令メッセージ受信後に期待される正常に運行する位置領域である確定ユニットと、基礎ネットワークサイトへ通知メッセージを送信し、現在位置が移動領域内ではないことを通知するように構成される通知ユニットと、を更に含むことが好ましい。
【００２９】
基礎ネットワークサイトが、基礎ネットワークカバーを提供するとともに、ネットワークサイトの位置を不変に保持する通信サイトであることが好ましい。
【発明の効果】
【００３０】
本発明の実施例によると、一つ又は複数の移動ネットワークノードのネットワークノード選択情報を取得することであって、但し、ネットワークノード選択情報は活性化対象の移動ネットワークノードを選択するに用いられることと、ネットワークノード選択情報に基づいて一つ又は複数の移動ネットワークノードから活性化対象の移動ネットワークノードを選択し、活性化対象の移動ネットワークノードにノード活性化命令メッセージを送信することによって、既存技術において適切な移動ネットワークノードを選択することができない問題を解決し、移動ネットワークノードリソースを充分に利用することができ、移動ネットワークノードの安定性を強化し、ネットワークリソースの利用率を向上させ、ネットワークのカバー率や容量及びネットワーク全体の処理量を高めることができる。
【図面の簡単な説明】
【００３１】
ここで説明する図面は本発明を一層理解させるためのもので、本願の一部を構成し、本発明に示す実施例及びその説明は本発明を解釈するもので、本発明を限定するものではない。
【図１】既存技術に係わる移動ネットワークを示す図である。
【図２】本発明の実施例に係わるネットワークノードの選択方法を示すフローチャートである。
【図３】本発明の実施例に係わるネットワークノードの活性化方法を示すフローチャートである。
【図４】本発明の好適な実施例に係わる基礎ネットワークサイトが移動ネットワークノード起動時にノードを選択することを示すフローチャートである。
【図５】本発明の好適な実施例に係わる基礎ネットワークサイトが移動ネットワークノードへネットワーク情報諮問要求を送信してノードを選択することを示すフローチャートである。
【図６】本発明の好適な実施例に係わる移動ネットワークノードの位置が移動する時に基礎ネットワークサイトが再びノードを選択することを示すフローチャートである。
【図７】本発明の好適な実施例に係わる基礎ネットワークサイトが移動ネットワークノードのネットワークノード選択歴史情報に基づいてノードを選択することを示すフローチャートである。
【図８】本発明の実施例に係わるネットワークノードの選択装置の構造を示すブロック図である。
【図９】本発明の実施例に係わるネットワークノードの活性化装置の構造を示すブロック図である。
【図１０】本発明の好適な実施例に係わるネットワークノードの活性化装置の構造を示すブロック図である。
【発明を実施するための形態】
【００３２】
以下、図面を参照し実施例を結合して本発明を詳しく説明する。尚、矛盾しない状況下、本願の実施例及び実施例中の特徴を組み合せることができる。
【００３３】
図２は本発明の実施例に係わるネットワークノードの選択方法を示すフローチャートである。図２に示すように、該方法はステップＳ２０２、ステップＳ２０４を含む。
【００３４】
ステップＳ２０２において、一つ又は複数の移動ネットワークノードのネットワークノード選択情報を取得し、ここで、ネットワークノード選択情報は活性化対象の移動ネットワークノードを選択するに用いられる。
【００３５】
ステップＳ２０４において、ネットワークノード選択情報に基づいて一つ又は複数の移動ネットワークノードから活性化対象の移動ネットワークノードを選択し、活性化対象の移動ネットワークノードへノード活性化命令メッセージを送信する。
【００３６】
既存技術には如何に適切な移動ネットワークノードを選択するかの解決案がない。図２に示す方法によると、基礎ネットワークサイトが一つ又は複数の移動ネットワークノードのネットワークノード選択情報を取得し、また、活性化対象の移動ネットワークノードの選択を行って、その後、活性化して運行すべき移動ネットワークノードへノード活性化命令メッセージを送信する。よって、既存技術において適切な移動ネットワークノードを選択することができない問題を解決し、移動ネットワークノードリソースを充分に利用することができ、移動ネットワークノードの安定性を強化し、ネットワークリソースの利用率を向上させ、ネットワークのカバー率や容量及びネットワーク全体の処理量を高めることができる。
【００３７】
好適な実施過程において、上記一つ又は複数の移動ネットワークノードは位置可変なネットワークサイトである。例えば、車両に取り付けられた中継サイトである。
【００３８】
ステップＳ２０２において、一つ又は複数の移動ネットワークノードのネットワークノード選択情報を取得することは、
一つ又は複数の移動ネットワークノードが起動する時、一つ又は複数の移動ネットワークノードが報知したネットワークノード選択情報を受信する方式１と、
一つ又は複数の移動ネットワークノードへネットワーク情報諮問要求を送信し、一つ又は複数の移動ネットワークノードがネットワーク情報諮問要求に基づいて報知したネットワークノード選択情報を受信する方式２の中の一つの方式を含むことが好ましい。
【００３９】
即ち、移動ネットワークノードが起動する時、直接に基礎ネットワークサイトへネットワークノード選択情報を送信し、又は、移動ネットワークノードが基礎ネットワークサイトからのネットワーク情報諮問要求を受信した後、該ネットワーク情報諮問要求に応答し、自体のネットワークノード選択情報を報知する。
【００４０】
ネットワーク情報諮問要求メッセージは基礎ネットワークサイトが移動ネットワークノードのネットワーク属性情報を取得するために送信した調査要求であって、基礎ネットワークサイトが移動ネットワークノードを選択する際に移動ネットワークノードが報知すべき情報を含むことができる。
【００４１】
上記ネットワークノード選択情報は、以下の中の少なくとも一つを含むことができるが、これらに限定されることはない。
【００４２】
（１）一つ又は複数の移動ネットワークノードの位置情報；ここで、位置情報は、各移動ネットワークノードが現在滞留している位置情報を指し、例えば経度緯度であることができる。
【００４３】
（２）一つ又は複数の移動ネットワークノードの滞留可能な時間；ここで、滞留可能な時間は、各移動ネットワークノードがネットワーク情報諮問要求を受信してから現在位置を離れるまでに経過した時間の長さ、又は、各移動ネットワークノードが主動的にネットワークノード選択情報を送信してから現在位置を離れるまでに経過した時間の長さである。
【００４４】
（３）一つ又は複数の移動ネットワークノードのカバー範囲；ここで、カバー範囲は、各移動ネットワークノードが現在位置において特定の送信電力又は最大送信電力で提供可能な最大カバー距離である。
【００４５】
（４）一つ又は複数の移動ネットワークノードの無線アクセス情報；ここで、無線アクセス情報は、各移動ネットワークノードが提供可能なアクセスネットワークタイプで、例えばグローバル移動通信システム（ＧＳＭ）、汎用移動通信システム（ＵＭＴＳ）、長期的進化（ＬＴＥ）、高級長期的進化（ＬＴＥ−Ａ）、無線ＬＡＮ（ＷＬＡＮ）であることができる。
【００４６】
（５）一つ又は複数の移動ネットワークノードの移動ネットワークノード識別情報。
【００４７】
上記ノード活性化命令メッセージに活性化対象の移動ネットワークノードの運行パラメータ情報が乗せられ、該運行パラメータ情報は以下を含むがこれらに限定されることはない：
（１）活性化対象の移動ネットワークノードの送信電力；
（２）活性化対象の移動ネットワークノードの運行時間；ここで、運行時間は、活性化対象の移動ネットワークノードがノード活性化命令メッセージ受信後に期待される正常に運行する時間の長さであって、移動ネットワークノードが運行時間を参照し、自体がどのくらい運行すると基礎ネットワークサイトのカバー又は容量の需要を満たすことができるかを把握できる；
（３）活性化対象の移動ネットワークノードの移動領域；ここで、移動領域は、活性化対象の移動ネットワークノードがノード活性化命令メッセージ受信後に期待される正常に運行する位置領域である。
【００４８】
好適な実施過程において、上記運行パラメータ情報は活性化対象の移動ネットワークノードの移動ネットワークノード識別情報を更に含むことができる。
【００４９】
図３は本発明の実施例に係わるネットワークノードの活性化方法を示すフローチャートである。図３に示すように、該方法はステップＳ３０２、ステップＳ３０４を含む。
【００５０】
ステップＳ３０２において、基礎ネットワークサイトへネットワークノード選択情報を送信し、ここで、ネットワークノード選択情報は基礎ネットワークサイトが活性化対象の移動ネットワークノードを選択するに用いる。
【００５１】
ステップＳ３０４において、基礎ネットワークサイトからのノード活性化命令メッセージを受信し、ノード活性化命令メッセージに基づいて活性化運行操作を実行する。
【００５２】
好適な実施過程において、上記基礎ネットワークサイトは基礎ネットワークカバーを提供するとともに、ネットワークサイトの位置を不変に保持する通信サイトであって、例えばマクロ基地局である。
【００５３】
ステップＳ３０２においては、基礎ネットワークサイトにネットワークノード選択情報を送信することは、
起動する時刻に基礎ネットワークサイトへネットワークノード選択情報を報知する方式１と、
基礎ネットワークサイトから送信されたネットワーク情報諮問要求に応答し、基礎ネットワークサイトへネットワークノード選択情報を報知する方式２の中の一つの方式を含むことが好ましい。
【００５４】
ステップＳ３０４においては、ノード活性化命令メッセージに基づいて活性化運行操作を実行することは、ステップＳ１〜ステップＳ２を含むことが好ましい。
【００５５】
ステップＳ１において、ノード活性化命令メッセージから運行パラメータ情報を取得し、ここで、運行パラメータ情報は活性化対象の移動ネットワークノードの送信電力、活性化対象の移動ネットワークノードの運行時間、活性化対象の移動ネットワークノードの移動領域の中の一つ又は複数を含む。
【００５６】
ステップＳ２において、運行パラメータ情報に基づいて、運行時間範囲内で送信電力で活性化運行を開始する。
【００５７】
ステップＳ１においては、ノード活性化命令メッセージから運行パラメータ情報を取得した後、ステップＳ３〜ステップＳ４を更に含むことが好ましい。
【００５８】
ステップＳ３において、現在位置が移動領域内ではないと確定し、ここで、移動領域は、活性化対象の移動ネットワークノードがノード活性化命令メッセージ受信後に期待される正常に運行する位置領域である。
【００５９】
ステップＳ４において、基礎ネットワークサイトへ通知メッセージを送信し、現在位置が移動領域内ではないことを通知する。
【００６０】
好適な実施例において、移動領域は通常、基礎ネットワークサイトのサービング領域内のカバー又は容量の強化が必要である領域である。
【００６１】
以下、幾つかの好適な実施形態を結合して上記好適な実施過程を更に説明する。
【００６２】
好適な実施例１
図４は本発明の好適な実施例に係わる基礎ネットワークサイトが移動ネットワークノードが起動する時にノードを選択することを示すフローチャートである。図４に示すように、該フローはステップＳ４０２、Ｓ４０４、Ｓ４０６、ステップＳ４０８を含む。
【００６３】
ステップＳ４０２において、基礎ネットワークサイト（例えば、マクロ基地局）が、サービング領域における接続端末数量又は信号強度及び端末の位置に基づいて、マクロ基地局のサービング領域内の容量又はカバー情報を評価し、容量の増加又はカバーの拡張が必要である位置範囲を確定する。
【００６４】
ステップＳ４０４において、移動ネットワークノードが起動する時、位置領域が属される基礎ネットワークサイト（例えば、マクロ基地局）へネットワークノード選択情報を送信して、マクロ基地局へ新しく増加された移動ネットワークノードの情報を通知する。
【００６５】
該好適な実施例において、上記ネットワークノード選択情報は以下の中の少なくとも一つを含むが、これらに限定されることはない：
（１）移動ネットワークノードのノード識別情報；
（２）移動ネットワークノードの位置情報；
（３）移動ネットワークノードの滞留可能な時間；
（４）移動ネットワークノードのカバー範囲；
（５）移動ネットワークノードの無線アクセス情報。
【００６６】
上記移動ネットワークノードのノード識別情報は、移動ネットワークノード（例えば、車載サイト）のＩＤを指し、例えばＮｏｄｅＢ  ＩＤ１である。
【００６７】
上記移動ネットワークノードの位置情報は、移動ネットワークノードが現在滞留している位置情報を指し、例えば経度緯度である。
【００６８】
上記移動ネットワークノードの滞留可能な時間は、移動ネットワークノードが主動にノード選択情報を送信してから滞留位置を離れるまでに経過した時間の長さを指す。
【００６９】
上記移動ネットワークノードのカバー範囲は、移動ネットワークノードが現在位置において最大送信電力で提供可能な最大カバー距離を指す。
【００７０】
上記移動ネットワークノードの無線アクセス情報は、移動ネットワークノードが提供可能なアクセスネットワークタイプを指し、例えばグローバル移動通信システム（ＧＳＭ）、汎用移動通信システム（ＵＭＴＳ）、長期的進化（ＬＴＥ）、高級長期的進化（ＬＴＥ−Ａ）、無線ＬＡＮ（ＷＬＡＮ）である。
【００７１】
ステップＳ４０６において、マクロ基地局が、例えば位置情報、カバー範囲、無線アクセス情報等の車載サイトが報知したネットワークノード選択情報に基づいて、更にステップＳ４０２におけるマクロ基地局ネットワークのカバーが弱い又は容量が高い位置領域を結合して評価することができる。新しく増加された車載サイトがネットワークのカバー又は容量を強化することが可能であると、車載サイトへノード活性化命令を送信する。
【００７２】
上記ノード活性化命令メッセージは例えば送信電力、運行時間、移動領域等の移動ネットワークノードの運行パラメータ情報を含むことができるが、これらに限定されることはなく、ここで、運行時間は移動ネットワークノードが基礎ネットワークサイトからのノード活性化命令受信後に期待される正常に運行する時間の長さを指す。移動領域は、活性化対象の移動ネットワークノードがノード活性化命令メッセージ受信後に期待される正常に運行する位置領域である。移動ネットワークノードの現在位置が移動領域内ではないと、移動ネットワークノードが基礎ネットワークサイトへ通知しなければならない。
【００７３】
ステップＳ４０８において、車載サイトは、マクロ基地局からのノード活性化命令を受信した後、ノード活性化命令の送信電力に従って運行を開始して、カバー又は容量を提供することができる。
【００７４】
好適な実施例２
図５は、本発明の好適な実施例に係わる基礎ネットワークサイトが移動ネットワークノードへネットワーク情報諮問要求を送信してノードを選択することを示すフローチャートである。図５に示すように、該フローはステップＳ５０２、Ｓ５０４、Ｓ５０６、Ｓ５０８、ステップＳ５１０を含む。
【００７５】
ステップＳ５０２において、基礎ネットワークサイト（例えば、マクロ基地局）が、サービング領域における接続端末数量又は信号強度及び端末の位置に基づいて、マクロ基地局のサービング領域内の容量又はカバー情報を評価し、容量の増加又はカバーの拡張が必要である位置範囲を確定する。
【００７６】
ステップＳ５０４において、基礎ネットワークサイト（例えば、マクロ基地局）が、サービング領域内の一つ又は複数の移動ネットワークノード（例えば、車載サイト１、車載サイト２）へネットワーク情報諮問要求メッセージを送信する。
【００７７】
該好適な実施例において、ネットワーク情報諮問要求メッセージは、基礎ネットワークサイトが移動ネットワークノードのネットワーク属性情報を取得するために送信した調査要求を指し、該調査要求は以下の中の少なくとも一つを含むが、これらに限定されることはない：
（１）移動ネットワークノードの位置情報；
（２）移動ネットワークノードの滞留可能な時間；
（３）移動ネットワークノードのカバー範囲；
（４）移動ネットワークノードの無線アクセス情報。
【００７８】
上記移動ネットワークノードの位置情報は、移動ネットワークノードが現在滞留している位置情報を指し、例えば経度緯度である。
【００７９】
上記移動ネットワークノードの滞留可能な時間は、移動ネットワークノードが基礎ネットワークサイトから送信された諮問要求を受信してから現在位置を離れるまでに経過した時間の長さを指す。
【００８０】
上記移動ネットワークノードのカバー範囲は、移動ネットワークノードが現在位置において特定の送信電力で提供可能な最大カバー距離を指す。
【００８１】
上記移動ネットワークノードの無線アクセス情報は、移動ネットワークノードが提供可能なアクセスネットワークタイプを指し、例えばＧＳＭ、ＵＭＴＳ、ＬＴＥ、ＬＴＥ−Ａ、ＷＬＡＮである。
【００８２】
ステップＳ５０６において、車載サイト１と車載サイト２は、マクロ基地局からのネットワーク情報諮問要求メッセージを受信した後、マクロ基地局へその位置情報、滞留可能な時間、カバー範囲及び無線アクセス情報を送信する。
【００８３】
ステップＳ５０８において、マクロ基地局は、車載サイト１と車載サイト２が報知した情報及びステップＳ５０２において評価した容量の増加又はカバーの拡張が必要である位置範囲及びネットワークタイプに基づいて、車載サイト１を選択して活性化する。そして、同時に複数の車載サイトを活性化することもできる。
【００８４】
ステップＳ５１０において、マクロ基地局が、車載サイト１へノード活性化命令メッセージを送信し、車載サイト１はノード活性化命令中の送信電力で運行して、カバー又は容量増加を提供する。
【００８５】
上記ノード活性化命令メッセージは、例えば送信電力、運行時間、移動領域等の移動ネットワークノードの運行パラメータ情報を含むが、これらに限定されることはなく、ここで、運行時間は、移動ネットワークノードが基礎ネットワークサイトからのノード活性化命令受信後に期待される正常に運行する時間の長さを指す。移動領域は活性化対象の移動ネットワークノードがノード活性化命令メッセージ受信後に期待される正常に運行する位置領域である。移動ネットワークノードの現在位置が移動領域内ではないと、移動ネットワークノードが基礎ネットワークサイトへ通知しなければならない。
【００８６】
好適な実施例３
図６は本発明の好適な実施例に係わる移動ネットワークノードの位置が移動する時に基礎ネットワークサイトが再びノードを選択することを示すフローチャートである。図６に示すように、該方法はステップＳ６０２、Ｓ６０４、Ｓ６０６、Ｓ６０８、ステップＳ６１０を含む。
【００８７】
ステップＳ６０２において、基礎ネットワークサイト（例えばマクロ基地局）は、サービング領域内のカバー又は容量を補強する必要があるので、移動ネットワークノード（例えば、車載サイト１）を選択して活性化を行って、ノード活性化命令を送信する。
【００８８】
上記ノード活性化命令メッセージは例えば送信電力、運行時間、移動領域等の移動ネットワークノードの運行パラメータ情報を含むが、これらに限定されることはなく、ここで、運行時間は、移動ネットワークノードが基礎ネットワークサイトからのノード活性化命令受信後に期待される正常に運行する時間の長さを指す。移動領域は、活性化対象の移動ネットワークノードがノード活性化命令メッセージ受信後に期待される正常に運行する位置領域である。移動ネットワークノードの現在位置が移動領域内ではないと、移動ネットワークノードは基礎ネットワークサイトへ通知しなければならない。
【００８９】
ステップＳ６０４において、移動ネットワークノード（例えば、車載サイト１）は、基礎ネットワークサイトのサービング領域内で容量又はカバーの補強を提供し、そして、車載サイト１の移動性が不定期性を有するので、車載サイト１が移動領域外に移動した時、車載サイト１はマクロ基地局へ、車載サイト１の位置変更が移動領域を越えたことを指示するための位置変更通知情報を送信する。
【００９０】
また、マクロ基地局は、車載サイト１へ確認メッセージ（点線で情報の選択可能性を示す）を送信して、車載サイト１の位置変更通知情報を成功に受信したことを示すこともできる。
【００９１】
ステップＳ６０６において、マクロ基地局がサービング領域内の一つ又は複数の移動ネットワークノード（例えば、車載サイト２、車載サイト３）へネットワーク情報諮問要求を送信する。
【００９２】
該好適な実施例において、ネットワーク情報諮問要求メッセージは基礎ネットワークサイトが移動ネットワークノードのネットワーク属性情報を取得するために送信した調査要求を指し、該調査要求は以下の中の少なくとも一つを含むことができるが、これらに限定されることはない：
（１）移動ネットワークノードの位置情報；
（２）移動ネットワークノードの滞留可能な時間；
（３）移動ネットワークノードのカバー範囲；
（４）移動ネットワークノードの無線アクセス情報。
【００９３】
上記移動ネットワークノードの位置情報は、移動ネットワークノードが現在滞留している位置情報を指し、例えば経度緯度である。
【００９４】
上記移動ネットワークノードの滞留可能な時間は、移動ネットワークノードが基礎ネットワークサイトから送信された諮問要求を受信してから現在位置を離れるまでに経過した時間の長さを指す。
【００９５】
上記移動ネットワークノードのカバー範囲は、移動ネットワークノードが現在位置において特定の送信電力で提供可能な最大カバー距離を指す。
【００９６】
上記移動ネットワークノードの無線アクセス情報は、移動ネットワークノードが提供可能なアクセスネットワークタイプを指し、例えばＧＳＭ、ＵＭＴＳ、ＬＴＥ、ＬＴＥ−Ａ、ＷＬＡＮである。
【００９７】
ステップＳ６０８において、車載サイト２と車載サイト３は、マクロ基地局からのネットワーク情報諮問要求メッセージを受信した後、マクロ基地局へその位置情報、滞留可能な時間、カバー範囲及び無線アクセス情報を送信する。
【００９８】
ステップＳ６１０において、マクロ基地局は、車載サイト１が提供したサービング領域に基づいて、車載サイト２及び/又は車載サイト３を選択してサービスを提供し、また車載サイト２及び/又は車載サイト３へノード活性化命令メッセージを送信する。
【００９９】
上記ノード活性化命令メッセージは、例えば送信電力、運行時間、移動領域等の移動ネットワークノードの運行パラメータ情報を含むが、これらに限定されることはなく、ここで、運行時間は移動ネットワークノードが基礎ネットワークサイトからのノード活性化命令受信後に期待される正常に運行する時間の長さを指す。移動領域は活性化対象の移動ネットワークノードがノード活性化命令メッセージ受信後に期待される正常に運行する位置領域である。移動ネットワークノードの現在位置が移動領域内ではないと、移動ネットワークノードが基礎ネットワークサイトへ通知しなければならない。
【０１００】
ステップＳ６１２において、車載サイト２及び/又は車載サイト３は、マクロ基地局から送信されたノード活性化命令メッセージを受信した後、ノード活性化命令メッセージにおける指示に応じて、対応する操作を実行する。
【０１０１】
好適な実施例４
図７は本発明の好適な実施例に係わる基礎ネットワークサイトが移動ネットワークノードのネットワークノード選択歴史情報に基づいてノードを選択することを示すフローチャートである。図７に示すように、該方法はステップＳ７０２、Ｓ７０４、Ｓ７０６、Ｓ７０８、Ｓ７１０、ステップＳ７１２を含む。
【０１０２】
ステップＳ７０２において、基礎ネットワークサイトであるマクロ基地局は、例えば端末接続数量又はサービス要求量等の属される端末の接続確立情報に基づいて、サービング領域内のカバー又は容量情報を評価し、容量の増加又はカバーの拡張が必要である位置範囲を確定する。
【０１０３】
ステップＳ７０４において、マクロ基地局は、予め記憶した移動ネットワークノード（例えば、車載サイト１、車載サイト２）のネットワークノード選択情報に基づいて、移動ネットワークノードが現在の容量又はカバー補強需要を満たすか否かを判断する。
【０１０４】
該好適な実施例において、上記ネットワークノード選択情報は以下の中の少なくとも一つを含むが、これらに限定されることはない：
（１）移動ネットワークノードのノード識別情報；
（２）移動ネットワークノードの位置情報；
（３）移動ネットワークノードの滞留可能な時間；
（４）移動ネットワークノードのカバー範囲；
（５）移動ネットワークノードの無線アクセス情報。
【０１０５】
上記移動ネットワークノードのノード識別情報は、移動ネットワークノード（例えば、車載サイト）のＩＤを指し、例えばＮｏｄｅＢ  ＩＤ１である。
【０１０６】
上記移動ネットワークノードの位置情報は、移動ネットワークノードが現在滞留している位置情報を指し、例えば経度緯度である。
【０１０７】
上記移動ネットワークノードの滞留可能な時間は、移動ネットワークノードが主動的にノード選択情報を送信してから現在位置を離れるまでに経過した時間の長さを指す。
【０１０８】
上記移動ネットワークノードのカバー範囲は、移動ネットワークノードが現在位置において最大送信電力で提供可能な最大カバー距離を指す。
【０１０９】
上記移動ネットワークノードの無線アクセス情報は、移動ネットワークノードが提供可能なアクセスネットワークタイプを指し、例えばＧＳＭ、ＵＭＴＳ、ＬＴＥ、ＬＴＥ−Ａ、ＷＬＡＮである。
【０１１０】
ステップＳ７０６において、マクロ基地局は、移動ネットワークノードの現在位置での滞留時間に基づいて、移動ネットワークノードに位置変更が発生したか否かを判断し、移動ネットワークノードに位置変更が発生していないと、移動ネットワークノードへノード活性化命令を送信し、そうでないと、移動ネットワークノードへ位置情報調査メッセージを送信する。ここでの移動ネットワークノードはサービング領域内の車載サイト１及び/又は車載サイト２である。
【０１１１】
ステップＳ７０８において、車載サイト１及び/又は車載サイト２は、マクロ基地局からの位置情報調査メッセージを受信し、マクロ基地局へ位置情報応答メッセージを報知する。該位置情報応答メッセージは移動ネットワークノードの位置情報、移動ネットワークノードの滞留時間を含むことができるが、これらに限定されることはない。
【０１１２】
ステップＳ７１０において、マクロ基地局は、車載サイト１及び/又は車載サイト２からフィードバックされた位置情報応答メッセージに基づいて、カバー又は容量補強を提供できる車載サイトを判断し、ここでは車載サイト１が上記需要を満たすとする。
【０１１３】
ステップＳ７１２において、マクロ基地局が、車載サイト１へノード活性化命令メッセージを送信して、車載サイト１を活性化し、運行動作を開始する。
【０１１４】
上記ノード活性化命令メッセージは例えば送信電力、運行時間、移動領域等の移動ネットワークノードの運行パラメータ情報を含むが、これらに限定されることはなく、運行時間は、移動ネットワークノードが基礎ネットワークサイトからのノード活性化命令受信後に期待される正常に運行する時間の長さを指す。移動領域は、活性化対象の移動ネットワークノードがノード活性化命令メッセージ受信後に期待される正常に運行する位置領域である。移動ネットワークノードの現在位置が移動領域内ではないと、移動ネットワークノードが基礎ネットワークサイトへ通知しなければならない。
【０１１５】
図８は本発明の実施例に係わるネットワークノードの選択装置の構造を示すブロック図である。該ネットワークノードの選択装置は基礎ネットワークサイトに設けられることができ、図８に示すように、一つ又は複数の移動ネットワークノードのネットワークノード選択情報を取得するように構成される取得手段１０であって、ここで、ネットワークノード選択情報は活性化対象の移動ネットワークノードを選択するに用いられる取得手段１０と；ネットワークノード選択情報に基づいて一つ又は複数の移動ネットワークノードから活性化対象の移動ネットワークノードを選択し、活性化対象の移動ネットワークノードへノード活性化命令メッセージを送信するように構成される選択手段２０と、を含む。
【０１１６】
図８に示す装置によると、既存技術において適切な移動ネットワークノードを選択することができない問題を解決し、移動ネットワークノードリソースを充分に利用することができ、移動ネットワークノードの安定性を強化し、ネットワークリソースの利用率を向上させ、ネットワークのカバー率や容量及びネットワーク全体の処理量を高めることができる。
【０１１７】
好適な実施過程において、上記一つ又は複数の移動ネットワークノードは位置可変なネットワークサイトである。
【０１１８】
取得手段１０が、
一つ又は複数の移動ネットワークノードが起動する時、一つ又は複数の移動ネットワークノードが報知したネットワークノード選択情報を受信する方式１と、
一つ又は複数の移動ネットワークノードへネットワーク情報諮問要求を送信し、一つ又は複数の移動ネットワークノードがネットワーク情報諮問要求に基づいて報知したネットワークノード選択情報を受信する方式２の中の一つの方式で一つ又は複数の移動ネットワークノードのネットワークノード選択情報を取得するように構成されることが好ましい。
【０１１９】
上記ネットワークノード選択情報が以下の中の少なくとも一つを含むことが好ましいが、これらに限定されることはない：
（１）一つ又は複数の移動ネットワークノードの位置情報；ここで、位置情報は、各移動ネットワークノードが現在滞留している位置情報を指す。
【０１２０】
（２）一つ又は複数の移動ネットワークノードの滞留可能な時間；ここで、滞留可能な時間は、各移動ネットワークノードがネットワーク情報諮問要求を受信してから現在位置を離れるまでに経過した時間の長さ、又は、各移動ネットワークノードが主動的にネットワークノード選択情報を送信してから現在位置を離れるまでに経過した時間の長さである。
【０１２１】
（３）一つ又は複数の移動ネットワークノードのカバー範囲；ここで、カバー範囲は、各移動ネットワークノードが現在位置において特定の送信電力又は最大送信電力で提供可能な最大カバー距離である。
【０１２２】
（４）一つ又は複数の移動ネットワークノードの無線アクセス情報；ここで、無線アクセス情報は、各移動ネットワークノードが提供可能なアクセスネットワークタイプである。
【０１２３】
（５）一つ又は複数の移動ネットワークノードの移動ネットワークノード識別情報。
【０１２４】
上記ノード活性化命令メッセージに活性化対象の移動ネットワークノードの運行パラメータ情報が乗せられ、該運行パラメータ情報が以下を含むことが好ましい：
（１）活性化対象の移動ネットワークノードの送信電力；
（２）活性化対象の移動ネットワークノードの運行時間；ここで、運行時間は、活性化対象の移動ネットワークノードがノード活性化命令メッセージ受信後に期待される正常に運行する時間の長さである；
（３）活性化対象の移動ネットワークノードの移動領域；ここで、移動領域は、活性化対象の移動ネットワークノードがノード活性化命令メッセージ受信後に期待される正常に運行する位置領域である。
【０１２５】
図９は本発明の実施例に係わるネットワークノードの活性化装置の構造を示すブロック図である。該ネットワークノードの活性化装置は移動ネットワークノードに設けられることができ、図９に示すように、基礎ネットワークサイトへネットワークノード選択情報を送信するように構成される送信手段３０であって、ここで、ネットワークノード選択情報は基礎ネットワークサイトが活性化対象の移動ネットワークノードを選択するに用いられる送信手段３０と；基礎ネットワークサイトからのノード活性化命令メッセージを受信し、ノード活性化命令メッセージに基づいて活性化運行操作を実行するように構成される活性化手段４０と、を含む。
【０１２６】
好適な実施過程において、上記基礎ネットワークサイトは基礎ネットワークカバーを提供するとともに、ネットワークサイトの位置を不変に保持する通信サイトである。
【０１２７】
送信手段３０が、
起動する時刻に基礎ネットワークサイトへネットワークノード選択情報を報知する方式１と、
基礎ネットワークサイトから送信されたネットワーク情報諮問要求に応答し、基礎ネットワークサイトへネットワークノード選択情報を報知する方式２の中の一つの方式で、基礎ネットワークサイトへネットワークノード選択情報を送信するように構成されることが好ましい。
【０１２８】
図１０に示すように、活性化手段４０が、ノード活性化命令メッセージから運行パラメータ情報を取得するように構成される取得ユニット４００であって、ここで、運行パラメータ情報は活性化対象の移動ネットワークノードの送信電力、活性化対象の移動ネットワークノードの運行時間、活性化対象の移動ネットワークノードの移動領域を含む取得ユニット４００と；運行パラメータ情報に基づいて、運行時間範囲内で送信電力で活性化運行を開始するように構成される活性化ユニット４０２と、を含むことが好ましい。
【０１２９】
図１０に示すように、活性化手段４０が、現在位置が移動領域内ではないと確定するように構成される確定ユニット４０４であって、ここで、移動領域は活性化対象の移動ネットワークノードがノード活性化命令メッセージ受信後に期待される正常に運行する位置領域である確定ユニット４０４と；基礎ネットワークサイトへ通知メッセージを送信して、現在位置が移動領域内ではないことを通知するように構成される通知ユニット４０６と、更に含むことが好ましい。
【０１３０】
上述したように、上記実施例によると以下の技術効果を実現できる（尚、これらの効果は一部の好適な実施例によって実現できるものである）：本発明の実施例で提供する技術案によると、基礎ネットワークサイトがカバー範囲内の移動ネットワークノードのネットワークノード選択情報を取得し、基礎ネットワークサイトがネットワークのカバーや容量需要情報及び移動ネットワークノードの位置及びサービス能力情報に基づいて、運行する必要のある移動ネットワークノードを選択し、また移動ネットワークノードに活性化して運行することを指示する。基礎ネットワークサイトが移動ネットワークサイトを選択して運行させる方法によって、移動ネットワークノードリソースを充分に利用することができ、移動ネットワークノードの安定性を強化し、ネットワークリソースの利用率を向上させ、ネットワークのカバー率や容量及びネットワーク全体の処理量を高めることができる。
【０１３１】
上記した本発明の各手段又は各ステップを共通の計算装置によって実現することができ、単独の計算装置に集中させることができれば、複数の計算装置から構成されるネットワークに分布させることもでき、更に計算装置が実行可能なプログラムコードによって実現することもできるので、それらを記憶装置に記憶させて計算装置によって実行することができ、場合によっては、他の順で図に示す又は説明したステップを実行することができ、又は夫々集積回路手段に製作し、又はそれらにおける複数の手段又はステップを単一の集積回路手段に製作して実現できることは当業者にとって明らかなことである。このように、本発明は如何なる特定のハードウェアとソフトウェアの結合にも限定されない。
【０１３２】
以上は、本発明の好適な実施例に過ぎず、本発明を限定するものではない。当業者であれば本発明に様々な修正や変形が可能である。本発明の精神や原則内での全ての修正、同等置換、改良などは本発明の保護範囲内に含まれる。
【産業上の利用可能性】
【０１３３】
上述のように、本発明の実施例で提供するネットワークノードの選択、活性化方法及び装置によると、移動ネットワークノードリソースを充分に利用することができ、移動ネットワークノードの安定性を強化し、ネットワークリソースの利用率を向上させ、ネットワークのカバー率や容量及びネットワーク全体の処理量を高めることができる。
【図１】
2017538348.tif 000003
【図２】
2017538348.tif 000004
【図３】
2017538348.tif 000005
【図４】
2017538348.tif 000006
【図５】
2017538348.tif 000007
【図６】
2017538348.tif 000008
【図７】
2017538348.tif 000009
【図８】
2017538348.tif 000010
【図９】
2017538348.tif 000011
【図１０】
2017538348.tif 000012
【国際調査報告】
2017538348.tif 000013
2017538348.tif 000014
2017538348.tif 000015
2017538348.tif 000016